(57)【要約】【課題】家庭用の冷蔵庫に対してビールサーバーを設置するとともに、ビールサーバーの操作手段を冷蔵庫の外側に設けることで冷蔵庫の扉を開くことなくビールを注げるようにする。【解決手段】一枚あるいは複数枚の扉１０を有するとともに種々の飲食物を冷却保存するための収納室を備えた冷蔵庫本体１と、冷蔵庫本体１の扉１０の内側と外側とに分割設置されるビールサーバー２と、を備えて構成し、このビールサーバー２を、扉１０に形成される貫通孔に設置されるビール流通管３と、扉１０の内側に着脱自在に設置されビール流通管３の内側端に接続可能なビール流出部５ａを備えてなるビール供給手段５と、扉１０の外側となるビール流通管３の外側端に配管される操作手段８と、を備えて構成する。【選択図】　　図２
2004053229.tif 000002
【特許請求の範囲】
【請求項１】
ビールサーバーを備え冷蔵庫の外側からビールを注げるよう構成したビールサーバー設置冷蔵庫であって、
このビールサーバー設置冷蔵庫を、
一枚あるいは複数枚の扉を有るとともに種々の飲食物を冷却保存するための収納室を備えた冷蔵庫本体と、
この冷蔵庫本体の扉に対して設けられ扉内側と扉外側とに分割設置されるビールサーバーと、
によって構成し、
前記ビールサーバーを、
前記冷蔵庫本体の扉の内側と外側との間を貫くよう形成される扉貫通孔に設置されるビール流通管と、
前記冷蔵庫本体の扉内側に着脱自在に設置され前記ビール流通管の内側端に接続可能なビール流出部を備えてなるビール供給手段と、
冷蔵庫本体の扉外側となる前記ビール流通管の外側端に配管されビール流通管の開閉調節をなすレバーおよび注ぎ口を有する操作手段と、
によって構成し、
冷蔵庫本体の扉を開けることなく冷蔵庫本体の外側から操作手段によってビールを注げるように構成したことを特徴とするビールサーバー設置冷蔵庫。
【請求項２】
ビールサーバーを備え冷蔵庫の外側からビールを注げるよう構成したビールサーバー設置冷蔵庫であって、
このビールサーバー設置冷蔵庫を、
一枚あるいは複数枚の扉を有るとともに種々の飲食物を冷却保存するための収納室を備えた冷蔵庫本体と、
この冷蔵庫本体の扉に対して設けられ扉内側と扉外側とに分割設置されるビールサーバーと、
によって構成し、
前記冷蔵庫本体を、
冷蔵庫本体の扉外側に形成されるビール注ぎ室と、
冷蔵庫本体の扉外側に設けられ下方を扉に軸支され前記ビール注ぎ室の開閉をなすテーブル扉と、
このテーブル扉を開状態とした際テーブル扉を水平状態で係止するストッパー手段と、
を備えて構成し、
前記ビールサーバーを、
前記冷蔵庫本体の扉の内側と前記ビール注ぎ室との間を貫くよう形成される扉貫通孔に設置されるビール流通管と、
前記冷蔵庫本体の扉内側に着脱自在に設置され前記ビール流通管の内側端に接続可能なビール流出部を備えてなるビール供給手段と、
冷蔵庫本体のビール注ぎ室側となる前記ビール流通管の外側端に配管されビール流通管の開閉調節をなすレバーおよび注ぎ口を有する操作手段と、
を備えて構成し、
冷蔵庫本体のテーブル扉を開け冷蔵庫本体の外側から操作手段によってビールを注げるように構成するとともにテーブル扉をビールコップの載置用テーブルとして利用可能としたことを特徴とするビールサーバー設置冷蔵庫。
【発明の詳細な説明】
【０００１】
【発明の属する技術分野】
この発明は、ビールサーバーを備え冷蔵庫の外側からビールを注げるように構成したビールサーバー設置冷蔵庫に関するものである。
【０００２】
【従来の技術】
ビールは気軽に楽しめるお酒として多くの人に受け入れられ、今日では一般家庭用として製造販売される冷蔵庫にはビール専用の収納部が設けられている。そして、このビール専用の収納部は冷蔵庫の開閉扉の内側に設けられているのが通例である。すなわち、冷蔵庫は飲食物を冷凍するための冷凍室、野菜等を保存する冷蔵室等、飲食物の保存に適応する複数の収納室を備えていて、ビールを適温に冷やす部位としては開閉扉内側が適している。
【０００３】
ところで、このビール専用収納部には他の飲料、例えばミネラルウオーターやジュース、そして牛乳やお茶等の容器も収納可能であるが、ビールはこうした他の飲料とは取り扱いが全く異なるものである。
ビール特有の風味を味わうにはビールを適温まで冷やすことは勿論、ビールが含有する炭酸が抜けないようにする必要がある。このため、ビールを開けた際にはそのビールを飲み干すものであり、飲みかけのビールを再び冷蔵庫へ収納することはない。このため、ビールにはそれぞれ容量の異なるビンや缶が容易されていて各人の飲みたい量が選択出来るようになっている。
【０００４】
一般の家庭においては容量の異なるビールを複数用意することは困難であり、例えばビール大ビンを冷やしておき、適宜時間をかけてこれを飲み干すのが通例である。しかしながら、テレビや新聞などを見ながら時間をかけてビールを飲む場合、飲みはじめにおいては冷たく炭酸の効いていたビールも、時間が経過するにしたがい生温く、また炭酸が抜けたあじけないものとなってしまう。
【０００５】
こうした不都合を解決するため、特開２００２−１２８１９５号に開示される「ビールサーバーとこのビールサーバーを備えた冷蔵庫」が提案されている。
この技術は、冷蔵庫の扉ポケット内等にビールサーバーを設置しておき、各人が飲みたい量のビールをコップに注ぐように構成されている。これによって時間をおいて繰り返しビールを楽しむ場合であっても、コップに注がれたビールは常に冷えており、また十分な炭酸が含まれている。
【０００６】
【発明が解決しようとする課題】
しかしながら、上記従来の冷蔵庫内に収納されるビールサーバーには次に挙げるような種々の不都合がある。
ビールは他の飲料と異なりコップに注ぐ際に多くの泡が発生し、この泡が適量となるようにコップに注意深く注ぐ必要がある。そして、この泡を多く立てすぎると、また泡が少なすぎるとビールの味が悪くなるものである。
ここで、上記従来のビールサーバーにおいては、冷蔵庫内に格納されているのでビールを注ぎ終えるまでの所定時間中は、冷蔵庫の扉を開き放ち続ける必要があり、この間冷蔵庫内の冷気が大量に放出され続け冷蔵庫の冷却能力が低下することになる。
【０００７】
一方、冷蔵庫の扉内側にビールサーバーを設置した場合、ビールを注いでいる最中に不意に扉が開閉方向へ移動するとビールサーバー（注ぎ口）も移動してビールの泡が適量とならずビールが上手く注げないばかりか、ビールが床面上にこぼれるとう問題を生じることになる。
【０００８】
また、冷蔵庫の扉が移動しなくとも、あるいはビールサーバーを冷蔵庫内の水平棚に設置した場合であってもビールによって冷蔵庫周辺の床面を汚してしまう虞がある。すなわち、ビールは注ぎ方や注ぐ量を誤ると泡がコップから流れ出してしまい、こうした失敗は日常多く経験するものである。ここでビールをテーブル上で注ぐ場合には適宜の処理が可能であるが、上記従来の技術においてはコップ下方にこぼれ出したビールを受け止める部材はなんら設けられておらず、こぼれたビールは冷蔵庫周辺の床面上と滴下することになる。
【０００９】
また、扉が開けられた冷蔵庫は決して見栄えのいいものではない。すなわち、冷蔵庫内には食べ残した飲食物や、使いかけのチューブ式調味料等が不規則に複数収納されており、例えば若い女性等にあっては冷蔵庫内を来客者に見られることを極端に敬遠する者が多い。従って、上記従来のビールサーバーは持ち主本人が利用するに際には問題ないが、来客者等が使用するには見栄え上において不向きである。
【００１０】
【課題を解決するための手段】
この発明に係るビールサーバー設置冷蔵庫は、上記従来の課題を解決するためになされたもので、ビールサーバー設置冷蔵庫を、一枚あるいは複数枚の扉を有るとともに種々の飲食物を冷却保存するための収納室を備えた冷蔵庫本体と、　この冷蔵庫本体の扉に対して設けられ扉内側と扉外側とに分割設置されるビールサーバーと、によって構成する。
【００１１】
そして前記ビールサーバーを、前記冷蔵庫本体の扉の内側と外側との間を貫くよう形成される扉貫通孔に設置されるビール流通管と、前記冷蔵庫本体の扉内側に着脱自在に設置され前記ビール流通管の内側端に接続可能なビール流出部を備えてなるビール供給手段と、冷蔵庫本体の扉外側となる前記ビール流通管の外側端に配管されビール流通管の開閉調節をなすレバーおよび注ぎ口を有する操作手段と、によって構成する。
【００１２】
これによって、冷蔵庫本体の扉を開けることなく冷蔵庫本体の外側から操作手段によってビールを注げるように構成し上記従来の問題を解決しようとするものである。
【００１３】
また、ビールサーバー設置冷蔵庫を、一枚あるいは複数枚の扉を有るとともに種々の飲食物を冷却保存するための収納室を備えた冷蔵庫本体と、この冷蔵庫本体の扉に対して設けられ扉内側と扉外側とに分割設置されるビールサーバーと、によって構成する。
【００１４】
そして前記冷蔵庫本体を、冷蔵庫本体の扉外側に形成されるビール注ぎ室と、冷蔵庫本体の扉外側に設けられ下方を扉に軸支され前記ビール注ぎ室の開閉をなすテーブル扉と、このテーブル扉を開状態とした際テーブル扉を水平状態で係止するストッパー手段と、を備えて構成する。
【００１５】
また前記ビールサーバーを、前記冷蔵庫本体の扉の内側と前記ビール注ぎ室との間を貫くよう形成される扉貫通孔に設置されるビール流通管と、前記冷蔵庫本体の扉内側に着脱自在に設置され前記ビール流通管の内側端に接続可能なビール流出部を備えてなるビール供給手段と、冷蔵庫本体のビール注ぎ室側となる前記ビール流通管の外側端に配管されビール流通管の開閉調節をなすレバーおよび注ぎ口を有する操作手段と、を備えて構成する。
【００１６】
これによって、冷蔵庫本体のテーブル扉を開け冷蔵庫本体の外側から操作手段によってビールを注げるように構成するとともにテーブル扉をビールコップの載置用テーブルとして利用可能とすることで上記従来の問題を解決しようとするものである。
【００１７】
【発明の実施の形態】
図面に基づいてこの発明の実施の形態を説明する。図１および図２はこの発明の請求の範囲第１項に係るビールサーバー設置冷蔵庫の一実施形態を示す図であり、図１はビールサーバー設置冷蔵庫の外観斜視図、図２は図１に示したビールサーバー設置冷蔵庫の一部断面図である。
【００１８】
図において１は冷蔵庫本体であり、この冷蔵庫本体１は複数（図では３枚）の扉１０を有していて種々の飲食物をそれぞれ適宜温度で保存するための複数の収納室を備えている。なお、この冷蔵庫本体１は一般家庭で使用するもので、内部には調味料収納ポケットや飲食物設置棚等の通常の機能を備えている。
【００１９】
一方、２はビールサーバーであり、このビールサーバー２は冷蔵庫本体１の所定の扉１０（図では中央の扉）に対して設けられていて、図２に示すよう扉１０の内側と、外側と、に分割されて設置されている。
【００２０】
次に図２に基づいてビールサーバーの構成を説明する。図に示す３はビール流通管であり、このビール流通管３は冷蔵庫本体１の扉１０の内側と外側との間を貫くように形成される扉貫通孔に挿通するようにして設置されている。
【００２１】
５はビール供給手段であり、このビール供給手段５は冷蔵庫本体１の扉１０の内側（図では左側）に設けられる設置棚に着脱自在に設置されている。そして、このビール供給手段５は、ビールタンク、ボンベ等のビールを供給するための周知の機能を備えている。また、ビール供給手段５は貯留するビールを放出するためのビール流出部５ａを備えていて、このビール流出部５ａは前記ビール流通管３の内側端に対して着脱自在となっている。
【００２２】
なお、ビール供給手段５のビールタンクは、２リットル、３リットル等のビールを貯留してなる市販のビールタンクを使用するものであり、このビール供給手段５には各ビールメーカーのビールタンク開口部に適合するキャップが備え付けられている。
また、ビール供給手段５のボンベは、ビールタンク内を加圧してビールを流出させるための市販のボンベを流用するものであるが、このボンベの代わりに電力（乾電池）を利用してビールタンク内に空気を送り込む周知の技術を用いても良い。
【００２３】
一方、８は操作手段であり、この操作手段８は冷蔵庫本体１の扉１０外側に設けられていて、ビール流通管３の外側端に配管されるレバー６と、このレバー６と一体に形成される注ぎ口７と、を備えている。レバー６は矢符に示すように手前に向けて移動させることでビール流通管３の開閉調節が可能となっていて、手前に移動させるに従いビールの流出量を多くすることが出来る。また、注ぎ口７は図に示すように下方に向けて所定の角度をもって傾斜していて、コップの内壁面を伝うようにコップ内にビールを流し込む事が可能である。
【００２４】
なお、操作手段８のレバー６は、手前に引くことによってビール（主に液体）が注がれ、後方に押すと泡のみが流出するよう構成されてなる周知のビール用レバー技術を用いても良い。
【００２５】
以上の構成からなるビールサーバー設置冷蔵庫は、扉１０を開くことなく飲みたい適量のビールを注ぐことが可能である。そして、この注ぎ作業を適度の泡が出るよう注意深く時間をかけて行っても冷蔵庫内の冷気を無駄に放出することはない。また、扉１０は閉状態、換言すれば不動状態となっているので扉１０が不意に移動することはなく、ビールをこぼすこともない。
【００２６】
そして、このビールサーバー設置冷蔵庫は見栄えにおいても優れている。すなわち、上述のようにビールを注ぐ際、扉１０を開く必要がないので、冷蔵庫内の食べかけの飲食物や使いかけのチューブ等を目にする事はない。これによって、あたかも本格的ビールサーバー装置を操作しているかのようにビールの注ぎ作業を楽しむ事が出来、来客者にも無理なくビールを勧めることが可能である。
【００２７】
また、時間をおいてゆっくりとビールを繰り返し注ぎなおして飲む場合であっても、注がれたビールは常に冷えており、また充分な炭酸も含んでおり、ビール特有の喉越しを充分に味わうことが出来る。
【００２８】
次に図３および図４に基づいてこの発明の請求項第２項に係るビールサーバー設置冷蔵庫の実施形態を説明する。なお、図１および図２に示したビールサーバー設置冷蔵庫と同一箇所には同一符号を付して重複説明は省略する。
図３および図４はこの発明の請求範囲第２項に係るビールサーバー設置冷蔵庫の一実施形態を示す図で、図３はビールサーバー設置冷蔵庫の外観斜視図であり、図４は図３に示したビールサーバー設置冷蔵庫の一部断面図である。
【００２９】
図３においてＴは、冷蔵庫本体１の扉１０（中央の扉）の外側面に設けられるテーブル扉であり、このテーブル扉Ｔは図４に示すように下方部を扉１０に軸支され、これによって矢符に示すように垂直方向に開閉可能となっている。
【００３０】
一方、９はビール注ぎ室であり、このビール注ぎ室９は冷蔵庫本体１の扉１０の外側に形成されていて、このビール注ぎ室９内に操作手段８（レバー６および注ぎ口７）が設けられている。
そして前記テーブル扉Ｔは、図３に示すようにビール注ぎ室９の開口部の全体を覆うようにしてビール注ぎ室９を密閉可能となっている。
【００３１】
また図に示すＳはストッパーで手段あり、このストッパー手段Ｓはテーブル扉Ｔの下端部に対して固定されたゴム材等の弾性部材からなっていて、テーブル扉Ｔを開いた際、冷蔵庫本体１の扉１０に接してテーブル扉Ｔを図４に示すように水平状態となった位置で係止することが出来るようになっている。これによって、テーブル扉Ｔは操作手段８の下方でコップを載置するためのテーブルとして利用することが可能である。このテーブル扉Ｔを利用すれば、ビールを注ぐ作業が容易なものとなり、また複数のコップに対してビールを注ぐ場合にはコップ載置台として利用可能である。
【００３２】
なお、この例ではテーブル扉Ｔを開閉可能に構成したが、このテーブル扉Ｔを開閉可能にするとともに冷蔵庫本体１から引き外し可能に構成して、このテーブル扉Ｔを複数のビールコップを運搬する際に使用する「トレー」として代用可能にしても良い。
【００３３】
また、４は給水性を有する資材からなるシート部材であり、このシート部材４は図に示すようにテーブル扉Ｔの上面に設けられていて、テーブル扉Ｔに対して着脱自在となっている。このシート部材４は、ビールを注ぐ際に泡がコップから溢れ出した場合に、その泡を吸収する作用をなし、必要に応じて取り外して洗浄可能である。
【００３４】
なお、図１ないし図４に示したビールサーバー設置冷蔵庫は、いずれも一体のビールサーバーを設置した例を示したが、このビールサーバーを複数個冷蔵庫本体に設置しても良い。また、ビールタンクの替わりに他の飲料、例えばジュースやお茶の容器内に空気を供給するよう構成し、操作手段によって冷蔵庫の外側からこれら飲料を注げるよう構成しても良い。
また、ビールサーバーを設置する扉は、水平方向に回転する開閉扉、引き出し式扉のいずれであっても良いことは無論である。
【００３５】
【発明の効果】
この発明に係るビールサーバー設置冷蔵庫は、以上説明したように冷蔵庫本体と、この冷蔵庫本体の扉の内側と外側とに分割設置されるビールサーバーと、を備え、ビールサーバーの操作手段を扉の外側に設置する構造としたので、次に挙げる効果を有する。
【００３６】
この発明に係るビールサーバー設置冷蔵庫によれば、利用者が飲みたい適量のビールを注ぐ事が可能となる。そしてこのビールの注ぎ作業時において冷蔵庫内の冷気を無駄に放出してしまう不都合を解消することが出来る。
【００３７】
また、時間をおいて繰り返してビールを注いで飲む場合においても、注がれたビールは常に冷えおり、かつ炭酸が効いおり、ビール特有の喉越しを繰り返し楽しむことが可能となる。
【００３８】
そしてまた、冷蔵庫の扉を開ける必要がないので見栄えが良く、本格的ビールサーバー装置を操作しているかのようにビールの注ぎ作業を楽しむ事が出来、また、冷蔵庫内を覗かれたくない女性等であっても、来客者等に無理なくビールを勧めることが出来る。
【図面の簡単な説明】
【図１】この発明の請求の範囲第１項に係るビールサーバー設置冷蔵庫の一実施形態を示す外観斜視図である。
【図２】図１に示したビールサーバー設置冷蔵庫の一部断面図である。
【図３】この発明の請求の範囲第２項に係るビールサーバー設置冷蔵庫の一実施形態を示す外観斜視図である。
【図４】図３に示したビールサーバー設置冷蔵庫の一部断面図である。
【符号の説明】
１　　冷蔵庫本体
２　　ビールサーバー
３　　ビール流通管
５　　ビール供給手段
６　　レバー
７　　注ぎ口
８　　操作手段
９　　ビール注ぎ室
１０　扉
Ｔ　　テーブル扉
Ｓ　　ストッパー手段
【図１】
2004053229.tif 000003
【図２】
2004053229.tif 000004
【図３】
2004053229.tif 000005
【図４】
2004053229.tif 000006